(57)【要約】【課題】構造を簡単化しつつ使用者に対して可動部が移動中であることを照明光によって通知することができる発光装置、電気機器及びスピーカ装置を提供する。【解決手段】電気機器１のスピーカ装置２は、スピーカユニット２１とスピーカ収容部２２とを備え、スピーカユニット２１のグリル２５がスピーカ収容部２２の開口部２２１から突出する方向に移動し、この相対移動方向と交差する方向にグリル２５の反射面２５３と開口部２２１端縁とが対向して設けられ、相対移動によって反射面２５３と開口部２２１端縁との隙間の大きさが変更され、この隙間内に向かって光を出射することで、光量を変化させる。【選択図】図９
2016155421.tif 000002
【特許請求の範囲】
【請求項１】
光を発する発光手段と、
互いに相対移動可能に対向する位置に設けられた第一部材及び第二部材と、
前記第一部材及び前記第二部材の少なくとも一方を移動させる移動手段と、を備え、
前記第一部材及び前記第二部材は、互いの相対移動方向と交差する方向に対向する対向部をそれぞれ有し、相対移動によって前記対向部の一方が他方よりも突出するとともに、該対向部同士の対向方向に沿った隙間の大きさが変更され、
前記発光手段は、前記隙間内に向かって光を出射可能な位置に設けられ、
前記対向部の一方は、前記相対移動方向に沿って所定長さを有するとともに、前記対向方向に傾斜した曲面を有することを特徴とする発光装置。
【請求項２】
前記発光手段は、出射した光が前記対向部同士の隙間を通って前記対向部の一方に照射される位置に設けられていることを特徴とする請求項１に記載の発光装置。
【請求項３】
請求項１又は２に記載の発光装置を備え、
前記第一部材としての本体部と、
前記第二部材としての可動部と、を備え、
前記本体部に対して前記可動部が突出する方向に移動することを特徴とする電気機器。
【請求項４】
請求項１又は２に記載の発光装置を備え、
前記第一部材としてのスピーカ収容部と、
前記第二部材としてのスピーカユニットと、を備え、
前記スピーカ収容部に対して、前記スピーカ部の全部又は一部が突出する方向に移動することを特徴とするスピーカ装置。
【発明の詳細な説明】
【技術分野】
【０００１】
本発明は、発光装置、電気機器及びスピーカ装置に関する。
【背景技術】
【０００２】
従来、車両のダッシュボードにおける搭乗者側の側面に設けられて音放射方向が変更可能なスピーカ装置が提案されている（例えば、特許文献１参照）。特許文献１に記載された従来のスピーカ装置では、スピーカユニットを回動させて音放射方向を変更することによって、音響特性を調節可能に構成されている。
【先行技術文献】
【特許文献】
【０００３】
【特許文献１】実開昭６１−１３４１８９号公報
【発明の概要】
【発明が解決しようとする課題】
【０００４】
ところで、特許文献１に記載されたスピーカ装置に限らず、各種の電気、電子機器において、本体部に対して移動可能に設けられた可動部と、この可動部を駆動する駆動機構と、を備えたものが利用されている。このような機器において、可動部の移動中に使用者が不意に可動部に触れ、その移動を阻害してしまうと、駆動機構の破損原因となる可能性がある。そこで、可動部が移動中であることを光により使用者に通知することが考えられる。しかしながら、可動部の移動に応じて光の輝度を電気的に制御しようとすると、そのための制御回路や電気部品が必要となり、機器の構造が複雑になるという問題が生じる。
【０００５】
したがって、本発明は、上述した問題に鑑み、例えば、構造を簡単化しつつ使用者に対して可動部が移動中であることを光によって通知することができる発光装置、電気機器及びスピーカ装置を提供することを課題とする。
【課題を解決するための手段】
【０００６】
前述した課題を解決するために、請求項１に記載の本発明の発光装置は、光を発する発光手段と、互いに相対移動可能に対向する位置に設けられた第一部材及び第二部材と、前記第一部材及び前記第二部材の少なくとも一方を移動させる移動手段と、を備え、前記第一部材及び前記第二部材は、互いの相対移動方向と交差する方向に対向する対向部をそれぞれ有し、相対移動によって前記対向部の一方が他方よりも突出するとともに、該対向部同士の対向方向に沿った隙間の大きさが変更され、前記発光手段は、前記隙間内に向かって光を出射可能な位置に設けられ、前記対向部の一方は、前記相対移動方向に沿って所定長さを有するとともに、前記対向方向に傾斜した曲面を有することを特徴としている。
【０００７】
請求項３に記載の本発明の電気機器は、前記発光装置を備え、前記第一部材としての本体部と、前記第二部材としての可動部と、を備え、前記本体部に対して前記可動部が突出する方向に移動することを特徴としている。
【０００８】
請求項４に記載の本発明のスピーカ装置は、前記発光装置を備え、前記第一部材としてのスピーカ収容部と、前記第二部材としてのスピーカユニットと、を備え、前記スピーカ収容部に対して、前記スピーカ部の全部又は一部が突出する方向に移動することを特徴としている。
【図面の簡単な説明】
【０００９】
【図１】本発明の実施例に係る電気機器を示す斜視図である。
【図２】前記電気機器のスピーカユニット周辺を示す斜視図である。
【図３】前記スピーカユニットを示す断面図である。
【図４】前記スピーカユニットの移動手段を示す斜視図である。
【図５】前記スピーカユニットの移動手段を分解して示す斜視図である。
【図６】前記スピーカユニットの動作を示す断面図である。
【図７】前記スピーカユニットの要部を示す分解斜視図である。
【図８】前記スピーカユニットのカバーを示す斜視図である。
【図９】前記スピーカユニットの動作説明図である。
【図１０】前記電気機器の筐体の一部を示す斜視図である。
【図１１】前記電気機器の動作説明図である。
【発明を実施するための形態】
【００１０】
以下、本発明の一実施形態にかかる発光装置を説明する。なお、本実施形態において、光を照明光として記載することがあるが、照明光は、光の種類の１つであり、光は、照明光に限定されず、電飾、装飾のための光等を含むものである。本発明の一実施形態にかかる発光装置は、互いに相対移動可能に対向する位置に設けられた第一部材及び第二部材を備え、これらの第一部材及び第二部材は、互いの相対移動方向と交差する方向に対向する対向部をそれぞれ有し、相対移動によって対向部の一方が他方よりも突出するとともに、対向部同士の対向方向に沿った隙間の大きさが変更され、発光手段が隙間内に向かって光を出射可能な位置に設けられ、対向部の一方は、相対移動方向に沿って所定長さを有するとともに、対向方向に傾斜した曲面を有する。このような構成を備えたことにより、第一部材と第二部材との相対移動に伴って大きさが変更される対向部同士の隙間から光を外側に出射することができる。従って、光の輝度を電気的に制御しなくてもよいことから、制御回路等を省略して装置の構造を簡単化できるとともに、対向部の隙間の大きさによって光の光量を変化させることで、使用者に対して第一部材と第二部材とが相対移動中であることを通知することができる。
【００１１】
また、対向部の一方が曲面を有して形成されていることで、対向部の他方よりも外側に突出する対向部の一方に形成した曲面によって、対向部同士の隙間の大きさを容易かつ確実に変更することができる。また、曲面の形状を適宜に設定するだけで、光の光量変化を調整することができ、所望の発光状態を比較的容易に実現することができる。
【００１２】
また、発光手段から出射した光が対向部同士の隙間を通って対向部の一方に照射される位置に設けられていることが好ましい。この構成によれば、他方よりも突出する対向部の一方に光が照射されることで、この一方の対向部に反射させた反射光を間接照明として使用者に認識させることができ、直接光と比較して輝度のコントラストを平滑化しムラのない反射光によって識別性を高めることができる。
【実施例】
【００１３】
本発明の実施例にかかる発光装置、及びこの発光装置を備えたスピーカ装置、及び電気機器を図１〜図１１を参照して説明する。本実施例に係る電気機器１は、例えば、カーオーディオやカーナビゲーションシステム等の車載機器の一部として用いられる。また、電気機器としては、パーソナルコンピュータ等の情報通信機器が例示できるほか、ホームシアターシステムや、オーディオシステム、単品コンポーネント、ＤＪ機器、各種プレーヤー、アンプ、チューナー、テレビ等のオーディオビジュアル（ＡＶ）機器、さらにはスマートフォンや携帯音楽プレーヤー等の携帯機器が挙げられる。
【００１４】
電気機器１は、図１、２に示すように、スピーカ装置２と、スピーカ装置２の角度及び位置を変更可能な動作機構３と、スピーカ装置２及び動作機構３を収容する筐体４と、を備える。電気機器１は、例えば、車両のダッシュボードの上面のうち車両幅方向の略中央部に設置される車両用スピーカ装置である。
【００１５】
スピーカ装置２は、振動板やエッジ、振動板に支持されるボイスコイル、磁気回路、エッジを介して振動板を支持し、磁気回路を支持するフレーム等を備えて音波を放射可能なスピーカ本体２１Ａを有したスピーカユニット２１と、スピーカユニット２１を収容するとともに筐体４に回動自在に支持されるスピーカ収容部２２と、スピーカ収容部２２に対してスピーカユニット２１の一部（後述するグリル２５及びメッシュ板２６）を移動させる移動手段２３と、を備えて構成されている。スピーカユニット２１はキャビネットであっても構わない。
【００１６】
動作機構３は、筐体４に対してスピーカ装置２を回動自在に支持しつつ所定の回動軌跡に沿って案内可能な左右一対のレール部材３１と、各レール部材３１の側面に回転自在に設けられる回転部材３２と、一端が回転部材３２に接続されるとともに他端がスピーカ装置２に接続される連結部材３３と、回転部材３２を駆動するモータ３４と、モータ３４の回転力を回転部材３２に伝達可能な複数の伝達ギア３５と、左右の回転部材３２を同期して回転させるシャフト３６と、を備えて構成されている。
【００１７】
筐体４は、上方が開口した箱状部４１と、箱状部４１の開口に設けられる蓋部４２と、を備える。箱状部４１には、ダッシュボードに取り付けるための取付部４１１が設けられている。蓋部４２は、その上面がダッシュボード上面に沿うとともに略同様の外観となるように形成され、その中央部には、スピーカ装置２の上面を露出させることができる開口部４２１が形成されている。
【００１８】
次に、スピーカ装置２の構成について、図３〜５も参照して説明する。スピーカユニット２１は、スピーカ本体２１Ａと、スピーカ本体２１Ａを保持する円筒状のスピーカホルダ２４と、このスピーカホルダ２４の外周に沿って設けられる円筒状のグリル２５と、グリル２５の上方開口部を覆って取り付けられるメッシュ板２６と、を有して構成されている。グリル２５は、スピーカホルダ２４の外周面に摺動自在に支持され、スピーカホルダ２４に対してグリル２５及びメッシュ板２６が回転可能かつ進退可能に設けられている。
【００１９】
スピーカ収容部２２は、スピーカユニット２１の外周を覆うケース２２Ａと、このケース体２２Ａの上部に取り付けられるカバー２２Ｂと、を有する。カバー２２Ｂは、筐体４における蓋部４２の開口部４２１内周縁に沿う外形を有するとともに、その中央部には、スピーカユニット２１のグリル２５及びメッシュ板２６を露出させることができる開口部２２１が形成されている。また、カバー２２Ｂには、動作機構３のレール部材３１に支持される左右一対の軸部２２２が形成されている。
【００２０】
さらに、スピーカ収容部２２は、ケース２２Ａ内部に固定されてスピーカホルダ２４及びグリル２５を覆うとともにスピーカホルダ２４を支持するブラケット２７と、ブラケット２７とカバー２２Ｂとの間に設けられる発光体ホルダ２８と、この発光体ホルダ２８に支持される発光手段としての発光体２９と、を有して構成されている。発光体２９は、図示しないＬＥＤ（Light Emitting Diode）等の光源と、この光源からの光を内部に通しつつ照射する可撓性を有した長尺状の導光部材２９１と、を備え、導光部材が発光体ホルダ２８上に保持されている。
【００２１】
移動手段２３は、スピーカ収容部２２のケース２２Ａに支持され、モータ２３１と、このモータ２３１の出力軸に設けられたウォーム２３２と、このウォーム２３２に噛み合う第一伝達ギア２３３と、この第一伝達ギア２３３の小歯車２３３Ａに噛み合う第二伝達ギア２３４と、を有して構成されている。第二伝達ギア２３４は、グリル２５の外周面に形成されたギア部２５１に噛み合わされている。このような移動手段２３は、モータ２３１の回転をウォーム２３２、第一伝達ギア２３３及び第二伝達ギア２３４を介してグリル２５に伝達し、グリル２５を回転駆動するようになっている。
【００２２】
グリル２５は、その外周面下部に形成されたギア部２５１と、ギア部２５１よりも上側の外周面に形成された螺旋状の案内溝２５２と、外周面上端部に形成された反射面２５３と、を有して形成されている。案内溝２５２には、スピーカ収容部２２のカバー２２Ｂに固定されたガイドピン２２３が挿入されており、移動手段２３によってグリル２５が回転駆動されるとともに、ガイドピン２２３に案内溝２５２が案内されることで、グリル２５が上下方向に進退駆動される。また、ギア部２５１には、その上下にストッパ２５４，２５５が設けられており、これらのストッパ２５４，２５５に第二伝達ギア２３４が当接することで、後退位置及び進出位置のそれぞれにおいてグリル２５の駆動が停止される。
【００２３】
以上のグリル２５の動作について、図６も参照して説明する。先ず、図３に示すグリル２５の後退位置から、移動手段２３のモータ２３１を正方向に駆動することで、グリル２５が回転駆動されるとともに、ガイドピン２２３及び案内溝２５２の噛み合いにより、グリル２５が上方に進出し、図６（Ａ）に示すように、スピーカ収容部２２のカバー２２Ｂの開口部２２１からグリル２５が突出する。さらに、モータ２３１の駆動を継続することで、図６（Ｂ）に示す進出位置までグリル２５及びメッシュ板２６が突出したら、下側のストッパ２５５に第二伝達ギア２３４が当接し、これによりモータ２３１が停止し、グリル２５の回転及び進出移動が停止される。
【００２４】
一方、移動手段２３のモータ２３１を負方向に駆動することで、グリル２５が逆方向に回転駆動されるとともに、ガイドピン２２３及び案内溝２５２の噛み合いにより、グリル２５が下方に後退する。図３に示す後退位置までグリル２５及びメッシュ板２６が後退したら、上側のストッパ２５４に第二伝達ギア２３４が当接し、これによりモータ２３１が停止し、グリル２５の逆回転及び後退移動が停止される。
【００２５】
以上のようにスピーカユニット２１の一部であるグリル２５及びメッシュ板２６が進退駆動されることで、グリル２５及びメッシュ板２６と、スピーカ収容部２２のケース２２Ａ及びカバー２２Ｂと、が上下方向（ここでは、スピーカ本体２１Ａの音放射中心方向と平行な方向）に相対移動可能に設けられている。即ち、グリル２５によって本発明の第一部材が構成され、カバー２２Ｂによって本発明の第二部材が構成されている。また、それぞれ円筒状に形成されたスピーカホルダ２４及びグリル２５の軸方向に沿ってグリル２５が進退移動することから、この進退方向Ｘが本発明における第一部材及び第二部材の相対移動方向を意味する。
【００２６】
次に、図７〜９も参照して発光手段としての発光体２９の構成と、その作用について説明する。発光体２９の導光部材２９１は、スピーカ収容部２２のケース２２Ａにおけるグリル２５を囲む位置に円周状に配設されている。この発光体２９は、電気機器１の動作中、即ち電源がＯＮにされた状態では常に一定の輝度で点灯されるようになっている。また、スピーカ収容部２２のカバー２２Ｂには、図８に示すように、第二発光体２２４が設けられている。この第二発光体２２４は、発光体２９と同様に、図示しない光源と、この光源からの光を内部に通しつつ照射する導光部材と、を備え、カバー２２Ｂの裏面における外周部の略半円の範囲に設けられている。
【００２７】
発光体２９の導光部材２９１は、図９に示すように、カバー２２Ｂと発光体ホルダ２８とに上下から挟まれる形で保持されており、カバー２２Ｂの開口部２２１内方に向かって斜め上方に照明光を出射するように設けられている。一方、第二発光体２２４は、スピーカ収容部２２のケース２２Ａとカバー２２Ｂとに挟まれる形で保持されており、ケース２２Ａとカバー２２Ｂとの隙間から外側に向かって斜め下方に照明光を出射するように設けられている。
【００２８】
グリル２５の反射面２５３は、その上端側にて進退方向Ｘ及びグリル２５の周方向に沿った第一平坦面２５３Ａと、その下端側にて進退方向Ｘ及びグリル２５の周方向に沿った第二平坦面２５３Ｂと、第一平坦面２５３Ａと第二平坦面２５３Ｂとの間にてグリル２５の径方向内方に凹んだ曲面２５３Ｃと、を有して形成されている。このような反射面２５３は、前述したグリル２５の進出移動に伴ってカバー２２Ｂの開口部２２１から突出するようになっている。
【００２９】
また、図９（Ａ）に示すグリル２５の後退位置において、カバー２２Ｂの開口部２２１端縁と反射面２５３の第一平坦面２５３Ａとが進退方向Ｘに直交する対向方向Ｙに対向し、図９（Ｂ）に示すグリル２５の進出位置において、開口部２２１端縁と第二平坦面２５３Ｂとが対向方向Ｙに対向する。さらに、グリル２５の進退移動中において、図９（Ｃ）に示すように、開口部２２１端縁と曲面２５３Ｃとが対向方向Ｙに対向する。このように互いに対向する開口部２２１端縁と反射面２５３とによって、本発明の対向部が構成されている。
【００３０】
開口部２２１端縁と反射面２５３とは、隙間Ｓを介して対向している。この隙間Ｓの対向方向Ｙに沿った大きさは、グリル２５の後退位置及び進出位置において、最小となるように設定されている。従って、発光体２９の導光部材２９１からの照明光は、小さな隙間Ｓを通してスピーカ装置２の内側から外側に向かって出射され、少ない光量の照明光として使用者に認識されるようになっている。
【００３１】
一方、グリル２５の進退移動中においては、曲面２５３Ｃの形状に応じて隙間Ｓの大きさが変更される。具体的には、グリル２５の進出移動の際において、曲面２５３Ｃの高さ方向中央部と開口部２２１端縁とが対向するまでは、隙間Ｓの大きさが徐々に増大し、曲面２５３Ｃの高さ方向中央部と開口部２２１端縁とが対向した位置で隙間Ｓの大きさが最大となり、その後、隙間Ｓの大きさが徐々に減少する。従って、発光体２９の導光部材２９１からの照明光は、隙間Ｓの大きさに伴って、徐々に光量が増加した後に減少することとなり、そのように光量が変化する照明光として使用者に認識されるようになっている。
【００３２】
このようにグリル２５及びメッシュ板２６がスピーカ収容部２２に対して進退移動する際において、グリル２５の反射面２５３と、カバー２２Ｂの開口部２２１端縁と、の隙間Ｓの大きさが変更され、この隙間Ｓから外側に出射する照明光の光量を変化させることができる。また、隙間Ｓから出射する照明光は、グリル２５の反射面２５３に反射した間接光として使用者に認識されるようになっている。
【００３３】
次に、図１０，１１も参照して、筐体４側に設けられる第三発光体４３と、その作用について説明する。第三発光体４３は、発光体２９及び第二発光体２２４と同様に、図示しない光源と、この光源からの光を内部に通しつつ照射する導光部材と、を備え、蓋部４２の裏面における開口部４２１の後部側に沿った略半円の範囲に設けられている。この第三発光体４３は、蓋部４２の開口部４２１から径方向内方に向かって照明光を出射するように設けられている。
【００３４】
第三発光体４３からの照明光は、図１１に示すように、スピーカ装置２のスピーカ収容部２２に反射し、蓋部４２の開口部４２１とスピーカ収容部２２との隙間から外側に出射されるようになっている。ここで、スピーカ装置２は、そのカバー２２Ｂの上面と蓋部４２の上面とが略フラットになる収容状態から、動作機構３によって駆動され、図１１（Ａ）に示すように、後部側（図中右側）が上方に移動するとともに前部側（図中左側）が下方に沈み込むように角度変更される。さらに、スピーカ装置２は、動作機構３による駆動が継続され、図１１（Ｂ）に示すように、カバー２２Ｂの上面が所定角度で傾斜した使用状態まで角度変更される。
【００３５】
このようなスピーカ装置２の角度変更に際し、蓋部４２の開口部４２１との隙間間隔が略一定となるように、スピーカ収容部２２は、その外周面の形状が設定されている。従って、収容状態から使用状態まで角度変更される際、さらには使用状態から収容状態まで角度変更される際において、第三発光体４３からの照明光は、スピーカ装置２の後部側を半円形に照らす一定光量の照明光として使用者に認識されるようになっている。このようにスピーカ装置２の後部側に照明光を設けることによって、使用者に対してスピーカユニット２が立ち上がるように角度変更することを通知することができる。
【００３６】
以上のような本実施例の電気機器１によれば、グリル２５の反射面２５３とカバー２２Ｂの開口部２２１端縁との隙間Ｓの大きさが変更され、この隙間Ｓの大きさによって照明光の光量が変化するようになっている。従って、照明光の輝度を電気的に制御しなくてもよいことから、制御回路等を省略しての構造を簡単化することができる。さらに、照明光の光量を変化させることで、使用者に対してグリル２５及びメッシュ板２６が突出移動中であることを通知することができ、使用者が不意にグリル２５やメッシュ板２６に触れてしまわないように注意喚起し、スピーカユニット２１や移動手段２３の破損を防止することができる。
【００３７】
また、グリル２５の反射面２５３が径方向内方に凹んだ曲面２５３Ｃを有して形成されているので、カバー２２Ｂの開口部２２１端縁との隙間の大きさを容易かつ確実に変更することができる。また、曲面２５３Ｃの形状を適宜に設定するだけで、照明光の光量変化を調整することができ、所望の発光状態を比較的容易に実現することができる。
【００３８】
また、発光体２９から出射した照明光が隙間Ｓを通ってグリル２５の反射面２５３に照射されるので、この反射面２５３に反射させた反射光を間接照明として使用者に認識させることができ、直接光と比較して輝度のコントラストを平滑化しムラのない照明光によって識別性を高めることができる。
【００３９】
なお、本発明は、前記実施例に限定されるものではなく、本発明の目的が達成できる他の構成等を含み、以下に示すような変形等も本発明に含まれる。
【００４０】
例えば、前記実施例では、電気機器１として、スピーカ装置２を含むものを例示したが、電気機器は、スピーカ装置を含むものに限らず、各種の情報通信機器、オーディオビジュアル機器、携帯機器、その他の家電機器であってもよい。また、スピーカ装置を含むものであっても、車両用スピーカ装置に限らず、業務用や家庭用のスピーカ装置として利用されてもよい。
【００４１】
さらに、本発明の発光装置は、前記実施例のように電気機器１及びスピーカ装置２に設けられるものに限らず、単体の照明機器として利用されてもよい。また、発光装置が各種の電気機器に設けられる場合には、その設置部位としては、例えば、スイッチやボタン、ボリューム調整ノブ等の操作部であってもよいし、情報表示パネルやメータ等の表示部であってもよいし、各種記憶媒体用のトレイや差込口等の接続部であってもよい。
【００４２】
また、前記実施例では、スピーカ装置２が筐体４に対して角度変更可能に支持されていたが、スピーカ装置２が移動不能に設けられていてもよく、その場合には、スピーカ装置２と筐体４との間の第三発光体４３は省略されてもよい。
【００４３】
また、前記実施形態では、スピーカ装置２のスピーカ収容部２２と、蓋部４２の開口部４２１との隙間間隔が略一定となり、第三発光体４３からの照明光は一定光量の照明として認識されるものとしたが、スピーカ装置２の角度変更に伴い蓋部４２との隙間の大きさが変更されるように構成されていてもよい。このようにすることで、スピーカ装置２の角度変更を使用者から認識されやすくすることができる。
【００４４】
また、前記実施例では、発光手段としての発光体２９が光源と導光部材２９１とを備えて構成されていたが、これに限らず、複数のＬＥＤ等からなる光源を所定間隔で並べて発光手段が構成されていてもよい。
【００４５】
また、前記実施例では、第一部材を構成するグリル２５が円筒状に形成され、その外周面の一部を構成する円環状の反射面２５３によって一方の対向部が構成されていたが、これに限らず、第一部材は多角形状や楕円形状等の任意の形状に形成されていてもよく、それに伴って一方の対向部及び他方の対向部も任意形状とすることができる。
【００４６】
また、前記実施例では、電気機器１が車両のダッシュボードの上面に設けられるものとしたが、電気機器１は、車両のダッシュボードの搭乗者側の側面や扉体等の任意の位置に設けられてもよい。
【００４７】
その他、本発明を実施するための最良の構成、方法などは、以上の記載で開示されているが、本発明は、これに限定されるものではない。すなわち、本発明は、主に特定の実施例に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４８】
１        電気機器
２        スピーカ装置
２１      スピーカユニット
２２      スピーカ収容部
２２Ｂ    カバー（第二部材）
２３      移動手段
２５      グリル（第一部材）
２９      発光体（発光手段）
２２１    開口部（対向部）
２５３    反射面（対向部）
２５３Ｃ  曲面
Ｓ        隙間
【図１】
2016155421.tif 000003
【図２】
2016155421.tif 000004
【図３】
2016155421.tif 000005
【図４】
2016155421.tif 000006
【図５】
2016155421.tif 000007
【図６】
2016155421.tif 000008
【図７】
2016155421.tif 000009
【図８】
2016155421.tif 000010
【図９】
2016155421.tif 000011
【図１０】
2016155421.tif 000012
【図１１】
2016155421.tif 000013